(57)【要約】【課題】ユーザがクライアント端末内の電子データを外部メモリデバイスに出力する際に、容易に出力履歴を記録する方法を提供する。【解決手段】固定記憶装置３を備えたクライアント端末２とネットワークを介してデータ出力装置を接続し、ユーザが指定した電子データのパスに基づいてフォルダを共有し、固定記憶装置３内の電子データに暗号化を施して光学記憶媒体やフラッシュメモリなどの外部記憶媒体６に出力し、電子データのオリジナルのパスとユーザの情報を履歴情報として記録する。【選択図】図１
2008140341.tif 000002
【特許請求の範囲】
【請求項１】
ネットワークを介して接続された固定記憶装置を有する端末装置との間で前記固定記憶装置に格納された電子データの共有を行う共有制御部と、共有した前記電子データを外部記憶媒体に出力する出力手段と、を備えるデータ出力装置であって、
少なくとも前記外部記憶媒体に出力するために共有する前記電子データの前記固定記憶装置内の論理位置と、出力を要求するユーザのユーザ名と、を入力させるための入力手段を前記端末装置側に供給する供給手段と、前記電子データを前記外部記憶媒体に出力する際に、出力した前記電子データの前記論理位置と、前記ユーザ名を履歴情報として保存する履歴格納手段と、を備えたことを特徴とするデータ出力装置。
【請求項２】
請求項１に記載のデータ出力装置において、前記入力手段は、出力を要求するユーザのパスワードをさらに入力可能であり、
当該データ出力装置を利用可能なユーザのユーザ名及びパスワードを予め保持するユーザ情報保持手段と、前記入力手段により入力されたユーザ名及びパスワードが、前記ユーザ情報保持手段に保持されたユーザ名及びパスワードと一致するか否かを判断する認証手段と、を備え、該認証手段がユーザ名及びパスワードが一致すると判断した場合、前記表示手段は、前記外部記憶媒体に出力する電子データの前記論理位置を入力させるための入力手段を表示することを特徴とするデータ出力装置。
【請求項３】
請求項１又は２に記載のデータ出力装置において、前記電子データを前記外部記憶媒体に出力する際に当該電子データを暗号化鍵によって暗号化する暗号化手段を備えたことを特徴とするデータ出力装置。
【請求項４】
前記履歴情報は、前記ユーザ毎に記録されることを特徴とする請求項１乃至３の何れか一項に記載のデータ出力装置。
【請求項５】
前記暗号化鍵は、前記ユーザ毎に管理されることを特徴とする請求項１乃至４の何れか一項に記載のデータ出力装置。
【請求項６】
ネットワークを介して接続された固定記憶装置を有する端末装置との間で前記固定記憶媒体に格納された電子データを共有するステップと、共有された前記電子データを外部記憶媒体に出力するステップと、を備えたデータ出力方法であって、少なくとも出力のために共有する電子データの前記固定記憶装置内の論理位置と、出力を要求するユーザのユーザ名と、を入力させるための入力手段を前記端末装置側に表示するステップと、前記電子データを前記外部記憶媒体に出力する際に、出力する前記電子データの前記論理位置と、前記ユーザ名を履歴情報として保存するステップと、を備えたことを特徴とするデータ出力方法。
【請求項７】
請求項６に記載のデータ出力方法において、出力を要求するユーザのパスワードをさらに入力可能な入力手段によって入力されたユーザ名及びパスワードが、ユーザ情報保持手段に保持された当該データ出力装置を利用可能なユーザのユーザ名及びパスワードと一致するか否かを判断するステップを備え、一致する場合のみ、前記外部記憶媒体に出力する電子データを入力するための入力手段を表示することを特徴とするデータ出力方法。
【請求項８】
請求項６又は７に記載のデータ出力方法において、前記電子データを前記外部記憶媒体に保存する際に当該電子データを暗号化鍵によってするステップを備えたことを特徴とするデータ出力方法。
【発明の詳細な説明】
【技術分野】
【０００１】
本発明は外部記憶媒体に電子データを安全に出力するための装置及び方法に関する。
【背景技術】
【０００２】
近年、情報漏えいに対する脅威が高まり、セキュリティ性の高い情報管理システムの構築が求められるようになってきた。情報漏えいの要因のひとつとして、適切でないデータ管理による雇用者のデータ不正持ち出しが少なくない。このため、事業主は紙や外部メモリデバイスといった持ち出し可能な媒体の使用を厳しく管理し、雇用者の使用するコンピュータを介してデータを外部へ持ち出しされることを防止している。
このような施策のための技術としては、例えば、特許文献１では電子文書をサーバ経由で印刷することで印刷履歴をサーバに残すことができ、電子文書の不正流出を心理的に抑制したり、不正流出が判明したときにその関与者を調査・特定したりすることができるシステムを提供している。
【特許文献１】特開２００３−３３０６７７公報
【発明の開示】
【発明が解決しようとする課題】
【０００３】
しかしながら、近年、オフィスで扱われる情報の形態は、紙から外部メモリデバイスへと変化している。加えてＵＳＢ（Universal Serial Bus）メモリやＳＤ(Secure Digital)カードなどのフラッシュメモリを用いた記憶手段が普及したり、書き込み可能なＤＶＤドライブといったデバイスをＰＣ上で容易に使用することができるようになったことで、電子データによる情報漏えいの脅威が急速に増している。このため外部メモリデバイスの個人使用を禁止したりすることによって、電子データを事業主の管理できない領域で扱うことを抑止している場合もあるが、データのバックアップや配布用資料の目的での外部メモリデバイスの使用が非常に有用であることに変わりはない。
本発明は、上述のごとき実情に鑑みてなされたものであり、ユーザがクライアント端末内の電子データを外部メモリデバイスに出力する際に、容易に出力履歴を記録する方法を提供することを目的になされたものである。
【課題を解決するための手段】
【０００４】
以上の目的を達成するために、請求項1に記載の発明は、ネットワークを介して接続された固定記憶装置を有する端末装置との間で前記固定記憶装置に格納された電子データの共有を行う共有制御部と、共有した前記電子データを外部記憶媒体に出力する出力手段と、を備えるデータ出力装置であって、少なくとも前記外部記憶媒体に出力するために共有する前記電子データの前記固定記憶装置内の論理位置と、出力を要求するユーザのユーザ名と、を入力させるための入力手段を前記端末装置側に供給する供給手段と、前記電子データを前記外部記憶媒体に出力する際に、出力した前記電子データの前記論理位置と、前記ユーザ名を履歴情報として保存する履歴格納手段と、を備えたデータ出力装置を特徴とする。
【０００５】
請求項２に記載の発明は、請求項１に記載のデータ出力装置において、前記入力手段は、出力を要求するユーザのパスワードをさらに入力可能であり、当該データ出力装置を利用可能なユーザのユーザ名及びパスワードを予め保持するユーザ情報保持手段と、前記入力手段により入力されたユーザ名及びパスワードが、前記ユーザ情報保持手段に保持されたユーザ名及びパスワードと一致するか否かを判断する認証手段と、を備え、該認証手段がユーザ名及びパスワードが一致すると判断した場合、前記表示手段は、前記外部記憶媒体に出力する電子データの前記論理位置を入力させるための入力手段を表示するデータ出力装置を特徴とする。
請求項３に記載の発明は、請求項１又は２に記載のデータ出力装置において、前記電子データを前記外部記憶媒体に出力する際に当該電子データを暗号化鍵によって暗号化する暗号化手段を備えたデータ出力装置を特徴とする。
【０００６】
請求項４に記載の発明は、前記履歴情報は、前記ユーザ毎に記録される請求項１乃至３の何れか一項に記載のデータ出力装置を特徴とする。
請求項５に記載の発明は、前記暗号化鍵は、前記ユーザ毎に管理される請求項１乃至４の何れか一項に記載のデータ出力装置を特徴とする。
請求項６に記載の発明は、ネットワークを介して接続された固定記憶装置を有する端末装置との間で前記固定記憶媒体に格納された電子データを共有するステップと、共有された前記電子データを外部記憶媒体に出力するステップと、を備えたデータ出力方法であって、少なくとも出力のために共有する電子データの前記固定記憶装置内の論理位置と、出力を要求するユーザのユーザ名と、を入力させるための入力手段を前記端末装置側に表示するステップと、前記電子データを前記外部記憶媒体に出力する際に、出力する前記電子データの前記論理位置と、前記ユーザ名を履歴情報として保存するステップと、を備えたデータ出力方法を特徴とする。
【０００７】
請求項７に記載の発明は、請求項６に記載のデータ出力方法において、出力を要求するユーザのパスワードをさらに入力可能な入力手段によって入力されたユーザ名及びパスワードが、ユーザ情報保持手段に保持された当該データ出力装置を利用可能なユーザのユーザ名及びパスワードと一致するか否かを判断するステップを備え、前記ユーザ名及びパスワードが一致する判断された場合のみ、前記外部記憶媒体に出力する電子データを入力するための入力手段を表示するデータ出力方法を特徴とする。
請求項８に記載の発明は、請求項６又は７に記載のデータ出力方法において、前記電子データを前記外部記憶媒体に保存する際に当該電子データを暗号化鍵によって暗号化するステップを備えたことを特徴とするデータ出力方法。
【発明の効果】
【０００８】
本発明によれば、ネットワークに接続されたクライアント端末個々で外部記憶媒体への書込を行わせず、データ出力装置に外部記憶媒体へのデータ出力を一元管理をし、さらに出力ファイルの履歴を記録することで、電子文書の不正流出を心理的に抑制したり、不正流出が判明したときにその関与者を調査・特定したりすることができる。
【発明を実施するための最良の形態】
【０００９】
以下、本発明の実施の形態を図面を用いて詳細に説明する。
本実施の形態は、データ出力装置として、コピー機能、ファクシミリ（ＦＡＸ）機能、プリント機能、スキャナ機能及び入力画像（スキャナ機能による読み取り原稿画像やプリンタあるいはＦＡＸ機能により入力された画像）を配信する機能等を複合したいわゆるＭＦＰ（Multi Function Peripheral）と称されるデジタルカラー複合機に適用した例を示す。
【００１０】
図１は本発明のデータ出力装置及び端末装置（クライアント端末）とからなるシステムの構成を示す図である。
図１においては、本発明のデータ出力装置として機能するＭＦＰ１と、パーソナルコンピュータであるクライアント端末２、４、５とをネットワークを介して接続している。クライアント端末２、４、５はそれぞれ固定記憶装置としてのＨＤＤ（Hard Disk Drive）３を備えている。クライアント端末２、４、５は、全て同等の機能を有し、同等の動作を行うが、ここではクライアント端末２を用いて説明を行う。
クライアント端末２は、ＨＤＤ３内のデータを書き込み可能なＤＶＤなどの光学メディアやフラッシュメモリといった外部記憶媒体６にユーザが直接的にデータ出力ができないようにしている。
これは、例えばクライアント端末２に光学媒体への書き込みを行うドライブ装置やフラッシュメモリを挿入するスロット等の接続手段、リーダライタ等を設けないようにしたり、ユーザ権限でこれらへの書込が出来ないようにクライアント端末のオペレーティングシステムで設定する等で実現出来る。
【００１１】
本発明のデータ出力システムにおいては、クライアント端末２のＨＤＤ３上のデータは、クライアント端末からではなく、ネットワークを介したフォルダ共有の機能を用いて、ＭＦＰ１から外部記憶媒体６に出力するようにする。
さらにＭＦＰ１は、クライアント端末２上のデータを外部記憶媒体６に出力する際にユーザが出力要求をした、電子データ（ファイル）のオリジナルのパス（ファイルシステム上の論理的な位置）や、出力要求をしたユーザの情報（ユーザ名など）を履歴（ログ）情報として記録し、また、クライアント端末２上のデータを光学記憶媒体やフラッシュメモリなどの外部記憶媒体６への書き込み前に暗号化を施す。
【００１２】
このような構成にすることで、外部記憶媒体へのデータ出力をＭＦＰ１に一元管理し、出力データの履歴を記録することで電子データの不正流出を心理的に抑制したり、不正流出を心理的に抑制したり、不正流出が判明したときにその関与者を調査・特定を容易にすることが出来る。
また、データの外部記憶媒体への書込をＭＦＰ１側で行うためにクライアント端末のパフォーマンスの低下を避け得る効果もある。
同様に、データ出力の要求があった場合クライアント端末４及び５に備えたＨＤＤ内のデータも、ＭＦＰ１を介して、外部記憶媒体６に記憶することが可能である。
【００１３】
ここで、図２乃至図４を用いて、本発明のデータ出力装置であるＭＦＰについて説明をする。
図２は本発明のデータ出力装置としての複合機（ＭＦＰ）１を概略的に示す外観斜視図である。ＭＦＰ１は、転写紙などの媒体に画像を形成する画像形成手段である印刷装置７の上部に、原稿から画像を読み取る画像読取手段である画像読取装置８を配設した構成とされている。また、画像読取装置８の装置外面には、オペレータに対する表示とオペレータからの機能設定等の各種の入力を許容する操作パネルＰが設けられている。さらに、操作パネルＰの下部には、外部記憶媒体６に記憶されているプログラムコードや画像データ等を読み取る、または外部記憶媒体６に対してプログラムコードや画像データ等を書き込む装置である外部メディア（記憶媒体）入出力装置９が、外部記憶媒体６の挿入を許容する挿入口を外部に露出させて設けられている。
図３は本発明のデータ出力装置としてのＭＦＰ１をさらに詳しく説明する図である。
画像処理ユニット部Ａと情報処理ユニット部Ｂとに大別されており、印刷装置７及び画像読取装置８は画像処理ユニット部Ａに属し、操作パネルＰ及び外部メディア入出力装置９は情報処理ユニット部Ｂに属している。
【００１４】
画像処理ユニット部Ａについて説明する。印刷装置７及び画像読取装置８を備える画像処理ユニット部Ａは、画像処理ユニット部Ａにおける画像処理全般の制御を行う画像処理制御ユニット１０を備えており、この画像処理制御ユニット１０には、印刷装置７を制御する印刷制御ユニット１１と、画像読取装置８を制御する画像読取制御ユニット１２とが接続されている。印刷制御ユニット１１は、画像処理制御ユニット１０の制御に従って印刷装置７に対して画像データを含む印刷指示を出力し、印刷装置７に転写紙などの媒体に画像を形成して出力させる。画像読取制御ユニット１２は、画像処理制御ユニット１０の制御により画像読取装置８を駆動し、原稿の表面に対するランプ照射の反射光をミラー及びレンズにより受光素子（例えば、ＣＣＤ（Charge Coupled Device））に集光して読み取り、Ａ／Ｄ変換してＲＧＢ各８ｂｉｔのデジタル画像データを生成する。このような画像処理制御ユニット１０は、メインプロセッサであるＣＰＵ（Central Processing Unit）１３と、画像読取装置８から読み込んだ画像データを印刷装置７による作像に供すべく一旦格納しておくメモリデバイス（例えば、ＳＤＲＡＭ（Synchronous Dynamic Random Access Memory）等）１４と、制御プログラム等を記憶したＲＯＭ（Read Only Memory）１５と、システムログ／システム設定／ログ情報等を記録しておく電源ＯＦＦ時にもデータの保持が可能なＮＶＲＡＭ１６と、をバス接続したマイクロコンピュータ構成とされている。また、画像処理制御ユニット１０には、多量の画像データの蓄積やジョブ履歴等の記憶装置となるＨＤＤ（Hard Disk Drive）１７、装置内部に設けられた集線装置であるＨＵＢ１９を介して画像処理ユニット部ＡをＬＡＮ２に接続するためのＬＡＮ制御部１８、ＦＡＸ制御を行うＦＡＸ制御ユニット２０が接続されている。このＦＡＸ制御ユニット２０は、図示しない公衆電話網に通じる構内交換器（ＰＢＸ）２２に接続されており、ＭＦＰ１は、遠隔のファクシミリと交信することができる。
【００１５】
加えて、画像処理制御ユニット１０には、表示制御ユニット２３及び操作入力制御ユニット２４が接続されている。表示制御ユニット２３は、画像処理制御ユニット１０のコントロールによって制御パネルＩ／Ｆ２５に接続された通信ケーブル２６を介して情報処理ユニット部Ｂに対して画像表示制御信号を出力し、情報処理ユニット部Ｂの操作パネルＰに対して画像表示の制御を行う。また、操作入力制御ユニット２４は、情報処理ユニット部Ｂの操作パネルＰからのオペレータによる機能設定や入力操作に応じた入力制御信号を、画像処理制御ユニット１０のコントロールによって制御パネルＩ／Ｆ２５に接続された通信ケーブル２６を介して入力する。すなわち、画像処理ユニット部Ａは、情報処理ユニット部Ｂの操作パネルＰを通信ケーブル２６を介して直接モニタすることができる構成になっている。したがって、画像処理ユニット部Ａは、従来のＭＦＰが備える画像処理ユニットに対して通信ケーブル２６を接続し、情報処理ユニット部Ｂの操作パネルＰを利用するようにしたものである。すなわち、画像処理ユニット部Ａの表示制御ユニット２３及び操作入力制御ユニット２４は、操作パネルＰに接続されているものとして動作している。このような構成により、画像処理ユニット部Ａは、外部（例えば、図示しないサーバコンピュータ、クライアントコンピュータ、ファクシミリ等）からの画像情報である印刷データ及びプリント指示するコマンドを解析し、印刷データを出力画像データとして印刷できる状態にビットマップ展開し、印刷モードをコマンドから解析し動作を決定している。その印刷データ及びコマンドをＬＡＮ制御部１８あるいはＦＡＸ制御ユニット２０を通じて受信し動作する。また、画像処理ユニット部Ａは、ＳＤＲＡＭ１４やＨＤＤ１７に記憶されている印刷データ、原稿読取りデータ、これらを出力用に処理した出力画像データ、および、それらを圧縮した圧縮データを外部に転送することができる。
【００１６】
次に、操作パネルＰを備える情報処理ユニット部Ｂについて説明する。
情報処理ユニット部Ｂは、一般にパーソナルコンピュータに用いられる汎用のＯＳ（Operating System）によって制御される構成とされている。情報処理ユニット部Ｂは、メインプロセッサであるＣＰＵ３１を有しており、このＣＰＵ３１には、その作業用領域となるＲＡＭや起動プログラムなどを記憶した読出し専用メモリであるＲＯＭで構成されるメモリユニット３２と、ＯＳやアプリケーションプログラムを記憶するＨＤＤ等の記憶装置３４と、それに対するデータの入出力を制御する記憶装置制御ユニット３５とが、バスを介して接続されている。また、ＣＰＵ３１には、情報処理ユニット部ＢをＨＵＢ１９を介してＬＡＮ２に接続するためのＬＡＮ制御部３３が接続されている。このＬＡＮ制御部３３に割り当てられるＩＰアドレスは、前述した画像処理ユニット部ＡのＬＡＮ制御部１８に割り当てられるＩＰアドレスとは異なるものである。すなわち、本実施の形態のデジタルカラー複合機１には、２つのＩＰアドレスが割り当てられていることになる。つまり、画像処理ユニット部Ａと情報処理ユニット部Ｂとはそれぞれ別個にＬＡＮ２に接続されていることになり、画像処理ユニット部Ａと情報処理ユニット部Ｂとの間においてはＬＡＮ２を介したデータ交換が可能な構成になっている。さらに、ＣＰＵ３１には、操作パネルＰを制御する表示制御ユニット３６及び操作入力制御ユニット３７が接続されている。
【００１７】
図４は操作パネルＰの構成を示す平面図である。図４に示すように、操作パネルＰは、例えばＬＣＤ（Liquid Crystal Display）である表示装置４０と、操作入力装置４１とで構成されている。操作入力装置４１は、表示装置４０の表面に積層された超音波弾性波方式等のタッチパネル４１ａと、複数のキーを有するキー操作部４１ｂとで構成されている。キー操作部４１ｂには、画像読み取りの開始を宣言するためのスタートキー、数値入力を行うためのテンキー、読み取った画像データの送信先を設定する読取条件設定キー、クリアキー等が設けられている。すなわち、表示制御ユニット３６は、画像表示制御信号を制御パネルＩ／Ｆ３８を介して表示装置４０に出力し、画像表示制御信号に応じた所定事項を表示装置４０に表示させる。一方、操作入力制御ユニット３７は、操作入力装置４１におけるオペレータによる機能設定や入力操作に応じた入力制御信号を、制御パネルＩ／Ｆ３８を介して受信する。
【００１８】
加えて、ＣＰＵ３１には、画像処理ユニット部Ａの制御パネルＩ／Ｆ２５と通信ケーブル２６を介して接続されている制御パネル通信ユニット３９が接続されている。制御パネル通信ユニット３９は、画像処理ユニット部Ａから出力された画像表示制御信号を受信し、また、操作パネルＰからのオペレータによる機能設定や入力操作に応じた入力制御信号を画像処理ユニット部Ａに転送する。なお、詳細は後述するが、制御パネル通信ユニット３９で受信した画像処理ユニット部Ａからの画像表示制御信号は操作パネルＰの表示装置４０用にデータ変換処理されてから表示制御ユニット３６に出力され、また、操作パネルＰからのオペレータによる機能設定や入力操作に応じた入力制御信号は画像処理ユニット部Ａでの仕様に応じた形式にデータ変換処理されてから制御パネル通信ユニット３９に入力される。上述したように記憶装置３４には、ＣＰＵ３１が実行するＯＳやアプリケーションプログラムが格納されている。この意味で、記憶装置３４は、アプリケーションプログラムを記憶する記憶媒体として機能する。
【００１９】
このＭＦＰ１では、ユーザが電源を投入するとＣＰＵ３１がメモリユニット３２内の起動プログラムを起動させ、記憶装置３４よりＯＳをメモリユニット３２内のＲＡＭに読み込み、このＯＳを起動させる。このようなＯＳは、ユーザの操作に応じてプログラムを起動したり、情報を読み込んだり、保存を行ったりする。ＯＳのうち代表的なものとしては、Ｗｉｎｄｏｗｓ（登録商標）等が知られている。また、これらのＯＳ上で走る動作プログラムをアプリケーションプログラムと呼んでいる。
【００２０】
図５は本発明のデータ出力装置として動作するためのＭＦＰ１内のモジュール構成を示す図である。
図５を用いて、本発明のデータ出力装置を用いたデータ出力の手順を詳細に説明する。
ＭＦＰ１に電源が投入されて起動すると、図３の記憶装置に格納されたファイルが順次メモリユニット３２に含まれるＲＡＭに展開され、ＯＳ５５と、その上で動作するＷＥＢサーバ５４、ネットワーク共有制御部５７、フォーマット変換部５８、アーカイブ制御部６０をそれぞれ構成するアプリケーションプログラムあるいはＯＳ５５のサブシステムが実行される。
【００２１】
クライアント端末４と５はここではイントラネット５３上でＭＦＰ１に接続されている。ＷＥＢサーバ５４（供給手段）は、後述するようにクライアント端末を用いてユーザがデータ出力を要求する際に、出力する対象のファイル、フォルダや、ユーザ自身に関する情報（ユーザ名、パスワード）をユーザに入力させてＭＰＦ１が取得するためのＷＥＢページ（入力手段）を提供する。
上述したように、ＭＦＰ１のＯＳ５５はＷｉｎｄｏｗｓ（登録商標）が用いられており、さらにクライアント端末のＯＳがＷｉｎｄｏｗｓ（登録商標）である場合、クライアント端末の固定記憶装置内に存在するフォルダをネットワークを介して共有できることは良く知られている。
【００２２】
認証制御部５６はクライアント端末を使用するユーザのデータ出力装置へのログインを制御する。認証制御部５６は、ＷＥＢページ（入力手段）を通してクライアント端末から入力されるユーザＩＤとパスワードが、既に登録されているものと一致した場合にＭＦＰ１への接続を許可する。ネットワーク共有制御部５７は、前述のネットワーク共有を行うモジュールである。Ｗｉｎｄｏｗｓ（登録商標）では、クライアント端末のユーザ名とパスワードが設定されている場合、ネットワークコマンドによってデータ出力装置からネットワーク共有を確立することができることは公知の技術である。
フォーマット変換部５８は、クライアント端末上のファイルをセキュリティ確保のためフォーマット変換する場合に機能するモジュールである。例えば、文書フォーマットであるＰＤＦ（Portable Document Format）はファイル単位で閲覧、編集のためのパスワードを設定することができる。クライアント端末からの要求に応じて、ＢＭＰ（ビットマップ）やＪＰＥＧ（Joint Photographic Expert Group）等の画像ファイル、及びマイクロソフトＷｏｒｄ（ワード）、同Ｅｘｃｅｌ（エクセル）などの文書ファイルを、外部記憶装置への出力前にパスワード付きＰＤＦに変換することが可能である。
【００２３】
暗号化手段としてのアーカイブ制御部６０はファイルを出力する際のファイル圧縮を行う他、出力データの暗号化の為の鍵を生成する。
この場合、暗号化ＺＩＰなど唯一の鍵によって暗号化、復号化を可能とする共通鍵方式や、ＲＳＡなど、公開鍵と秘密鍵を用いた公開鍵方式を用いた暗号化をするようにしてもよい。
このように、出力データを暗号化することで、仮に出力データ自体が外部に漏れたとしても、第３者への情報流出を抑制することができる。
【００２４】
光学ドライブ５９及びメモリドライブ６１はそれぞれ、図３の外部メディア入出力装置９を構成する、光学記憶媒体やフラッシュメモリなどの外部記憶媒体への記録を行うデバイスである。出力ログ６２は、出力するデータのファイル名とクライアント端末上でのオリジナルなファイルパスを記録した履歴情報である。出力ログはログインユーザ毎にＭＦＰに記憶され、いつどのようなファイルが可換型の外部記憶媒体６に出力されたかをネットワーク管理者が監視できるようにする。
このように、出力データをユーザ毎に管理することで、仮に不正流出が発生したことが判明したとしても、調査の負担を低減することが出来る。
【００２５】
図６は図５のＭＦＰ１がクライアント端末からの出力データに関する情報を取得するためのＷＥＢページの画面を示す図である。
ユーザは、Internet ExplorerやNetscapeといったＷｅｂブラウザで情報を閲覧、入力することが可能である。フォルダパス７０は出力するデータを示すクライアント端末内での絶対ファイルパスまたはフォルダパスである。ファイルパス及びフォルダパスの入力はキーボードからの直接入力の他、参照ボタン７８の押下によって表示されるフォルダ構成のツリー表示から選択することも可能である。７１はクライアント端末のＩＰアドレスである。ユーザ名７２及びパスワード７３はクライアント端末のフォルダをＭＦＰ１がネットワーク共有をする場合に必要となる情報で、通常はクライアント端末の管理者のユーザ名とパスワードである。これらの情報はクライアント端末を操作するユーザにより手動入力される。出力メディア７４は、データの出力先媒体の選択である。実施例のＭＦＰ１ではＤＶＤのほかＳＤ（Secure Digital Memory Card）、ＣＦ（コンパクトフラッシュ（登録商標））などのフラッシュメモリ媒体が選択可能である。画像ファイルの暗号化７５は、図５のフォーマット変換部５８の出力データが画像ファイルである場合にＰＤＦファイルへのフォーマット変換を行いファイル単位での暗号化を付与する場合にマークされるラジオボタンと暗号化パスワードである。以上の設定項目の記入後、ユーザによるＯＫボタン７７の押下でＭＦＰはデータ出力を開始する。一方、キャンセルボタン７６の押下でＷＥＢページの表示を終了する。
【００２６】
図７はＭＦＰが外部記憶媒体へ出力したことを記録する履歴情報のフォーマット例である。ユーザ名８０はデータ出力を要求したユーザ名で、ＭＦＰへ認証を行っているログインユーザ名を記録する。出力時刻８１は外部記憶媒体へ出力を開始した時刻である。出力メディア７４はデータを出力した外部記憶媒体の種別を示している。出力ログ８３、８４はそれぞれユーザｏｚ１７とｘｘｓｓｄ１７２０の履歴情報を示し、一行ごとに、出力元ファイルのフルパスが記録される。
【００２７】
図８はクライアント端末のＨＤＤ内のデータを、ＭＦＰ１が外部記憶媒体６へデータ出力する際のクライアント端末及びＭＦＰ１の動作を示したフローチャートである。クライアント端末はデータ出力要求を目的として、ＭＦＰ１のＷＥＢサーバに接続を行う（Ｓ１）。ＷＥＢサーバ５４はログイン画面を表示し（Ｓ２）、ユーザＩＤとパスワードの入力を促す。ユーザがクライアント端末からユーザＩＤとパスワードを入力する（Ｓ３）と、ＭＦＰ１（の認証制御部）はユーザ認証を行う（Ｓ４）。実施例のユーザ認証は、ユーザ情報保持手段としてのファイルまたはＤＢ(データベース)に予め登録されたユーザアカウント情報と入力された情報とを照合し、一致していればＭＦＰ１の情報へのアクセスを予め設定されたアクセス制御付きで許可する。ログインに用いる情報は、パスワードの他、ユーザが所有するカードキーや指紋などの身体特徴を照合する手段でもよい。認証に成功した場合（Ｓ５でＹｅｓ）、ＭＦＰ１は図６で説明した出力ファイル情報を設定する画面を表示する（Ｓ７）。他方で認証に失敗した場合（Ｓ５でＮｏ）、認証エラー画面をＷＥＢページ上に表示して（Ｓ６）、ログイン画面へ戻る。認証後、ユーザがクライアント端末から外部記憶媒体への出力に必要な情報を入力すると（Ｓ８）、出力装置はクライアント端末が指定したフォルダの共有フォルダ設定を行う（Ｓ９）。共有フォルダ設定は例えばＷｉｎｄｏｗｓ（登録商標）が提供するネットワークコマンドのひとつであるＮＥＴ  ＳＨＡＲＥコマンドを用いることができる。共有フォルダ設定に成功した場合（Ｓ１０でＹｅｓ）、共有フォルダ内のファイルの暗号化を行う（Ｓ１２）。暗号化は暗号化ＺＩＰなど唯一の鍵によって暗号化、複合化を可能とする共通鍵方式や、ＲＳＡなどの公開鍵と秘密鍵を用いる方式等を用いることができる。一方で共有フォルダ設定に失敗した場合（Ｓ１０でＮｏ）、接続エラー画面をＷＥＢページに表示した後に（Ｓ１１）、ログイン画面へ戻る。暗号化の後、ＭＦＰは暗号化データの外部記憶媒体への出力を行う（Ｓ１３）。出力終了後、ＭＦＰ１は図７で説明した履歴情報を作成し、履歴格納手段としての記憶装置３４に格納し（Ｓ１４）、ログインユーザ情報の格納先と出力を要求したクライアント端末の共有フォルダ内へ暗号データの複号を可能とする鍵を格納する（Ｓ１５）。クライアント端末に複号の鍵を渡すことで、ユーザが単独で出力データを読み出すことが可能である。一方で、ＭＦＰのユーザ情報に格納された鍵は、当該のユーザがログインし、データの復元を要求した場合にデータを提供する目的で用いることができる。データ出力装置はＳ９で実施した共有フォルダ設定を解除し（Ｓ１６）、クライアント端末へのアクセスを終了し、データ出力のプロセスを全て終了する。
【００２８】
なお、本実施例では、データ出力装置として、ＭＦＰを例として説明したが、この例に限定するものではなく、外部記憶媒体への書き込みが可能で画像処理ユニット等を持たない通常のパーソナルコンピュータであってもよく、それを制御するＯＳもＷｉｎｄｏｗｓ（登録商標）に限らず、ネットワークを介したファイルの共有が可能なＵＮＩＸ（登録商標）系ＯＳなどその他のＯＳであっても構わない。
【図面の簡単な説明】
【００２９】
【図１】本発明のデータ出力装置及び端末装置とからなるシステムの構成を示す図。
【図２】本発明のデータ出力装置としてのＭＦＰを概略的に示す外観斜視図。
【図３】本発明のデータ出力装置としてのＭＦＰをさらに詳しく説明する図。
【図４】操作パネルの構成を示す平面図。
【図５】本発明のデータ出力装置として動作するためのＭＦＰ内のモジュール構成を示す図。
【図６】図５のＭＦＰがクライアント端末からの出力データに関する情報を取得するためのＷＥＢページの画面を示す図。
【図７】ＭＦＰが外部記憶媒体へ出力したことを記録する履歴情報のフォーマット例を示す図。
【図８】ＭＦＰがデータ出力する際のクライアント端末及びＭＦＰの動作を示したフローチャート。
【符号の説明】
【００３０】
１  ＭＦＰ、２、４、５  クライアント装置、３  固定記憶装置、６  外部記憶媒体、７  印刷装置、８  画像読取装置、９  外部メディア（記憶媒体）入出力装置、１０  画像処理制御ユニット、１１  印刷制御ユニット、１２  画像読取制御ユニット、１３  ＣＰＵ、１５、３１  ＣＰＵ、１６  ＮＶＲＡＭ、１７  ＨＤＤ、１８、３３  ＬＡＮ制御部、１９  ＨＵＢ、２０  ＦＡＸ制御ユニット、２２  ＰＢＸ、２３、３６  表示制御ユニット、２４、３７  操作入力制御ユニット、２５、３８  制御パネルＩ／Ｆ、２６  通信ケーブル、３２  メモリユニット、３４  記憶装置、３５  記憶装置制御ユニット、３９  制御パネル通信ユニット、４０  表示装置、４１  操作入力装置、４１ａ  タッチパネル、４１ｂ  キー操作部、４２  入出力デバイス制御ユニット、４３  各種インターフェース、５３  イントラネット、５４  ＷＥＢサーバ、５５  ＯＳ、５６  認証制御部、５７  ネットワーク共有制御部、５８  フォーマット変換部、５９  光学ドライブ、６０  アーカイブ制御部、６１  メモリドライブ、６２  出力ログ、７０  フォルダパス、７１  ＩＰアドレス、７２、８０  ユーザ名、７３  パスワード、７４  出力メディア、７５  画像ファイルの暗号化、８１  出力時刻、８２  出力先メディア、８３、８４  出力ログ
【図１】
2008140341.tif 000003
【図２】
2008140341.tif 000004
【図３】
2008140341.tif 000005
【図４】
2008140341.tif 000006
【図５】
2008140341.tif 000007
【図６】
2008140341.tif 000008
【図７】
2008140341.tif 000009
【図８】
2008140341.tif 000010